(57)【特許請求の範囲】
【請求項１】
ネットワーク内に配備したエージェントとなる送信装置および受信装置の間で送受信されるパケットからネットワーク品質を測定する装置であって、
前記送信装置から送信間隔を逐次変更して送信される品質集計用パケットに基づいて前記受信装置により決定される品質が最も悪い送信タイミングを、前記受信装置から取得する手段と、
取得した前記送信タイミングを前記送信装置に通知する手段と、
通知した前記送信タイミングにより前記送信装置から送信される品質測定用パケットに基づいて前記受信装置により測定される品質情報を、前記受信装置から取得する手段と、
取得した品質情報に基づいて、ネットワーク品質を判断する手段と
を備えたことを特徴とするネットワーク品質測定装置。
【請求項２】
前記受信装置により決定される品質が最も悪い送信タイミングは、前記送信装置から送信間隔を逐次変更して送信される品質集計用パケットのうち、遅延が最大であるタイミングおよび消失率が最大であるタイミング、またはいずれか一方を算出することにより決定する
ことを特徴とする請求項１に記載のネットワーク品質測定装置。
【請求項３】
ネットワーク内に配備したエージェントとなる送信装置および受信装置の間で送受信されるパケットからネットワーク品質を測定するシステムに用いられる装置であって、
前記送信装置から送信間隔を逐次変更して送信される品質集計用パケットに基づいて品質が最も悪い送信タイミングを決定する手段と、
当該品質が最も悪い送信タイミングにより前記送信装置から送信される品質測定用パケットに基づいて品質情報を測定する手段と
を備えたことを特徴とする受信装置。
【請求項４】
前記受信装置により決定される品質が最も悪い送信タイミングは、前記送信装置から送信間隔を逐次変更して送信される品質集計用パケットのうち、遅延が最大であるタイミングおよび消失率が最大であるタイミング、またはいずれか一方を算出することにより決定する
ことを特徴とする請求項３に記載の受信装置。
【請求項５】
ネットワーク内に配備したエージェントとなる送信装置および受信装置の間で送受信されるパケットからネットワーク品質を測定する方法であって、
前記送信装置から送信間隔を逐次変更して送信される品質集計用パケットに基づいて前記受信装置により決定される品質が最も悪い送信タイミングを、前記受信装置から取得する工程と、
取得した前記送信タイミングを前記送信装置に通知する工程と、
通知した前記送信タイミングにより前記送信装置から送信される品質測定用パケットに基づいて前記受信装置により測定される品質情報を、前記受信装置から取得する工程と、
取得した品質情報に基づいて、ネットワーク品質を判断する工程と
を備えたことを特徴とするネットワーク品質測定方法。
【請求項６】
前記受信装置により決定される品質が最も悪い送信タイミングは、前記送信装置から送信間隔を逐次変更して送信される品質集計用パケットのうち、遅延が最大であるタイミングおよび消失率が最大であるタイミング、またはいずれか一方を算出することにより決定する
ことを特徴とする請求項５に記載のネットワーク品質測定方法。
【発明の詳細な説明】
【技術分野】
【０００１】
本発明は、インターネット等のネットワークにおける通信品質を測定するネットワーク品質測定装置、送信装置、受信装置およびネットワーク品質測定方法に関する。
【背景技術】
【０００２】
近年、ネットワーク技術の発達に伴い、装置間で音声、映像等のデータの送受信を行うＶｏＩＰ（Voice Over Internet Protocol）、ストリーム配信等のリアルタイム系のアプリケーションの利用が増加している。リアルタイム系のアプリケーションを利用する場合、アプリケーションにより受信した音声、映像等のデータを再生するときの再生品質は、ネットワークの状況により影響を受ける。そのため、運用中に再生品質が劣化した場合等の問題解決のために、ネットワーク状況を把握する必要がある。
【０００３】
ネットワーク状況を把握する一形態として、定期的またはユーザパケット生起パターンを擬似して多数の測定パケットを送信するエージェントと、その測定パケットを受信するエージェントとをネットワーク内に配備し、測定パケット自身の通信品質からエージェント間のネットワーク品質を推定するアクティブ測定方式が用いられる。
【０００４】
音声の品質は、国際電気通信連合（International Telecomunication Union：ＩＴＵ）のＩＴＵ標準ITU-G.107や、社団法人情報通信技術委員会（Telecomunication Technology Committee：ＴＴＣ）のＴＴＣ標準JJ-201.01により算出され、映像の場合には、ＩＴＵ標準ITU-T.241（ITU-R BT.1720）に基づいて算出される。
【０００５】
このアクティブ測定方式では、ユーザパケット生起パターンを擬似して測定パケットを送信する方法の場合、ユーザパケットとは別個に多数の測定パケットを流すため、ネットワーク負荷が増大するという問題があった。
【０００６】
また、前述のＶｏＩＰ、ストリーム配信等のリアルタイム系のアプリケーションでは、送信すべき音声、映像等のデータを所定の大きさの単位に分割し、分割したデータを所定の時間間隔（例えば、２０ｍｓ）で送出している。複数の端末装置のデータ送信タイミングが一致した場合、同一時刻に同一のネットワークを用いた通信であると、ネットワーク負荷には周期的な偏りが発生し、ネットワーク品質、例えば通話の品質にばらつきが生じる。
【０００７】
図１はパケット送信のタイミング例を示す図であり、ＶｏＩＰパケットが送信間隔Ｔｓで送信されるものとしている。なお、送信間隔Ｔｓは例えば２０ｍｓである。
【０００８】
例えば、通話Ａでは、ＶｏＩＰパケットＰＡが常時ＶｏＩＰパケットの送信間隔Ｔｓの前半部分のタイミングで送信されているものとする。一方、例えば、通話Ｂでは、ＶｏＩＰパケットＰＢが、常時ＶｏＩＰパケットの送信間隔Ｔｓの後半部分のタイミングで送信されているものとする。
【０００９】
そして、通話Ａのような送信タイミングの通話が多くなった場合、通話トラフィックはＶｏＩＰパケットの送信間隔Ｔｓの前半部分のタイミングで大きくなり、ネットワーク負荷Ｌに周期的な偏りが生じる。ネットワーク負荷Ｌの偏りの周期は、ＶｏＩＰパケットの送信間隔Ｔｓとなる。従って、通話Ａのような送信タイミングでＶｏＩＰパケットＰＡを送信した場合、ＶｏＩＰパケットＰＡが遅延するか、ＶｏＩＰパケットＰＡを消失する可能性が高くなり、通話品質が低くなる。
【００１０】
このような状況でデータ送信間隔内の複数箇所（タイミング上の箇所）のネットワーク品質（ネットワーク負荷の偏り具合）を測定する場合、エージェントの測定パケットの送信タイミングは固定であるため、複数のエージェントを使用し、かつ、測定パケットの送出タイミングの同期を取らなければならないという問題があった。
【００１１】
前述した２点の解決策として、測定パケットの送信時間間隔をデータ送信間隔より少し増減させることにより、１つのエージェントでデータ送信間隔内の複数のタイミングでのネットワーク負荷（時間変化に対するネットワーク負荷の量の変動を意味する密度分布）を１度の集計で測定する方法が、特許文献１に開示されている。
【特許文献１】特開２００７−２０８３２７号公報
【発明の開示】
【発明が解決しようとする課題】
【００１２】
特許文献１に開示されている測定方法では、ネットワーク負荷を増大させることなく、複数のエージェントで測定パケットの送出タイミングの同期を取る必要もないが、データ送信間隔内の複数箇所を集計しており、品質劣化の可能性のある特定の箇所に注目しているわけではないため、ネットワーク品質が劣化した場合には即座に検出することができないという問題がある。
【００１３】
上記の従来の問題点に鑑み、ネットワーク負荷を増大させることなく、複数のエージェントで測定パケットの送出タイミングの同期を取る必要もなく、ネットワーク品質の劣化を即座に検出することのできるネットワーク品質測定装置、送信装置、受信装置およびネットワーク品質測定方法を提供することを目的とする。
【課題を解決するための手段】
【００１４】
このネットワーク品質測定装置の一実施態様では、ネットワーク内に配備したエージェントとなる送信装置および受信装置の間で送受信されるパケットからネットワーク品質を測定する装置であって、前記送信装置から送信間隔を逐次変更して送信される品質集計用パケットに基づいて前記受信装置により決定される品質が最も悪い送信タイミングを、前記受信装置から取得する手段と、取得した前記送信タイミングを前記送信装置に通知する手段と、通知した前記送信タイミングにより前記送信装置から送信される品質測定用パケットに基づいて前記受信装置により測定される品質情報を、前記受信装置から取得する手段と、取得した品質情報に基づいて、ネットワーク品質を判断する手段とを備える。
【００１５】
好ましくは、前記受信装置により決定される品質が最も悪い送信タイミングは、前記送信装置から送信間隔を逐次変更して送信される品質集計用パケットのうち、遅延が最大であるタイミングおよび消失率が最大であるタイミング、またはいずれか一方を算出することにより決定する。
【発明の効果】
【００１６】
開示のネットワーク品質測定装置、送信装置、受信装置およびネットワーク品質測定方法にあっては、単一のエージェント間で送受される品質集計用パケットの送信間隔を変更することにより品質劣化の可能性のある箇所を推定し、その箇所を品質測定用パケットにより監視するよう構成したので、複数のエージェントで測定パケットの送出タイミングの同期を取る必要もなく、ネットワーク品質の劣化を即座に検出することができる。
【発明を実施するための最良の形態】
【００１７】
以下、本発明の好適な実施形態につき説明する。
【００１８】
<構成>
図２は本発明の一実施形態にかかるシステムの構成例を示す図である。
【００１９】
図２において、動画、音声等のストリームデータのパケットを配信する複数の送信装置１と、ストリームデータのパケットを受信する複数の受信装置２とがインターネット等のネットワーク３に接続されている。これらの送信装置１および受信装置２のうち一組は、エージェントとしてネットワーク品質測定のために設けられたものである。
【００２０】
また、ネットワーク３には、インターネットルータ等の複数の中継装置４が途中に接続されており、送信装置１から送信されたパケットは、不特定の中継装置４を含む通信経路を経て受信装置２に到達する。
【００２１】
また、ネットワーク３には品質測定装置５が接続され、送信装置１および受信装置２との間でパケットの送受信を行えるようになっている。
【００２２】
図３は送信装置１の構成例を示す図である。送信装置１は、送信装置１全体を制御するＣＰＵ（Central Processing Unit）等の制御部１１と、送信装置１で実行可能なコンピュータプログラム１０２およびデータ等の各種情報を記録したＣＤ−ＲＯＭ（Compact Disk - Read Only Memory）等の記録媒体１０１から各種情報を読み取るＣＤ−ＲＯＭドライブ等の補助記憶部１２とを備えている。また、送信装置１は、補助記憶部１２により読み取った各種情報を記録するハードディスク等の記録部１３と、記録部１３から読み取ったコンピュータプログラム１０２およびデータ等の各種情報を一時的に記録するＲＡＭ（Random Access Memory）等の記憶部１４とを備えている。
【００２３】
また、送信装置１は、パケットを送受信する通信部１５と、時刻を取得する時計部１６と、マウス、キーボード等の入力部１７と、モニタ等の出力部１８とを備えている。
【００２４】
そして、記録媒体１０１から補助記憶部１２によりコンピュータプログラム１０２およびデータ等の各種情報を読み取り、記録部１３に記録することでインストールが行われる。実行時には記録部１３からコンピュータプログラム１０２およびデータ等の各種情報を読み取り、記憶部１４に情報を一時的に記録し、コンピュータプログラム１０２に含まれる各種手順を制御部１１により実行することで、送信装置１は所定の機能を実現する。なお、ここではＰＣ（Personal Computer）を用いて通話を行うＩＰ電話システムを想定している。ただし、ＩＰ電話機等の専用端末を使用することも可能であり、その場合には、ＣＤ−ＲＯＭドライブ等の補助記憶部１２、マウス、キーボード等の電話機能以外の入力部１７は含まれないことは言うまでもない。
【００２５】
図４は受信装置２の構成例を示す図である。受信装置２は、受信装置２全体を制御するＣＰＵ等の制御部２１と、受信装置２で実行可能なコンピュータプログラム２０２およびデータ等の各種情報を記録したＣＤ−ＲＯＭ等の記録媒体２０１から各種情報を読み取るＣＤ−ＲＯＭドライブ等の補助記憶部２２とを備えている。また、受信装置２は、補助記憶部２２により読み取った各種情報を記録するハードディスク等の記録部２３と、記録部２３から読み取ったコンピュータプログラム２０２およびデータ等の各種情報を一時的に記録するＲＡＭ等の記憶部２４とを備えている。
【００２６】
また、受信装置２は、パケットを送受信する通信部２５と、時刻を取得する時計部２６と、マウス、キーボード等の入力部２７と、モニタ等の出力部２８とを備えている。
【００２７】
そして、記録媒体２０１から補助記憶部２２によりコンピュータプログラム２０２およびデータ等の各種情報を読み取り、記録部２３に記録することでインストールが行われる。実行時には記録部２３からコンピュータプログラム２０２およびデータ等の各種情報を読み取り、記憶部２４に情報を一時的に記録し、コンピュータプログラム２０２に含まれる各種手順を制御部２１により実行することで、受信装置２は所定の機能を実現する。なお、ここではＰＣを用いて通話を行うＩＰ電話システムを想定している。ただし、ＩＰ電話機等の専用端末を使用することも可能であり、その場合には、ＣＤ−ＲＯＭドライブ等の補助記憶部２２、マウス、キーボード等の電話機能以外の入力部２７は含まれないことは言うまでもない。
【００２８】
図５は品質測定装置５の構成例を示す図である。品質測定装置５は、品質測定装置５全体を制御するＣＰＵ等の制御部５１と、品質測定装置５で実行可能なコンピュータプログラム５０２およびデータ等の各種情報を記録したＣＤ−ＲＯＭ等の記録媒体５０１から各種情報を読み取るＣＤ−ＲＯＭドライブ等の補助記憶部５２とを備えている。また、品質測定装置５は、補助記憶部５２により読み取った各種情報を記録するハードディスク等の記録部５３と、記録部５３から読み取ったコンピュータプログラム５０２およびデータ等の各種情報を一時的に記録するＲＡＭ等の記憶部５４とを備えている。
【００２９】
また、品質測定装置５は、パケットを送受信する通信部５５と、時刻を取得する時計部５６と、マウス、キーボード等の入力部５７と、モニタ等の出力部５８とを備えている。
【００３０】
そして、記録媒体５０１から補助記憶部５２によりコンピュータプログラム５０２およびデータ等の各種情報を読み取り、記録部５３に記録することでインストールが行われる。実行時には記録部５３からコンピュータプログラム５０２およびデータ等の各種情報を読み取り、記憶部５４に情報を一時的に記録し、コンピュータプログラム５０２に含まれる各種手順を制御部５１により実行することで、品質測定装置５は所定の機能を実現する。
【００３１】
<動作>
以下、上述した構成の送信装置１および受信装置２をエージェントとして用いたパケット通信方法について説明する。なお、以下の説明では、ＶｏＩＰパケットの送信間隔Ｔｓを２０ｍｓとするが、送信間隔Ｔｓは２０ｍｓに限定されるものではない。
【００３２】
図６は送信装置１の制御部１１による制御処理例を示すフローチャートである。
【００３３】
図６において、送信装置１の制御部１１は、処理を開始すると、ＶｏＩＰパケットの送信間隔Ｔｓを取得する（ステップＳ１０１）。ＶｏＩＰパケットの送信間隔Ｔｓは、送信装置１の入力部１７を介して受け付けてもよいし、外部の装置から通信部１５を介して受け付けてもよい。
【００３４】
次いで、制御部１１は、品質集計用パケットの送信間隔Ｔｅとして、例えばＴｓからＴｓ＋（Ｔｓ−１）まで１ｍｓ刻みに増加させて送信間隔Ｔｅを生成する（ステップＳ１０２）。すなわち、送信間隔Ｔｓが２０ｍｓとして、Ｔｅ＝Ｔｓ、Ｔｓ＋１、Ｔｓ＋２、・・・、Ｔｓ＋１９となるように順次に送信間隔Ｔｅを生成する。
【００３５】
次いで、制御部１１は、送信間隔Ｔｅが経過したか否かを判断し（ステップＳ１０３）、経過していないと判断した場合（ステップＳ１０３のＮｏ）は、経過するまで待機状態となる。
【００３６】
制御部１１は、送信間隔Ｔｅが経過したと判断した場合（ステップＳ１０３のＹｅｓ）、品質集計用パケットを送信する（ステップＳ１０４）。
【００３７】
次いで、制御部１１は、品質集計用パケットを送信した後、一連の品質集計用パケットの送信が完了したか否かを判断する（ステップＳ１０５）。すなわち、最大値に達した送信間隔Ｔｅに対応する品質集計用パケットの送信が完了したか否か判断する。
【００３８】
制御部１１は、一連の品質集計用パケットの送信が完了していないと判断した場合（ステップＳ１０５のＮｏ）、送信間隔Ｔｅの生成（ステップＳ１０２）に戻り、上述した処理を繰り返す。
【００３９】
制御部１１は、一連の品質集計用パケットの送信が完了したと判断した場合（ステップＳ１０５のＹｅｓ）、再び送信間隔Ｔｓの取得（ステップＳ１０１）に戻り、上述した処理を繰り返す。
【００４０】
図７は受信装置２の制御部２１による制御処理例を示すフローチャートである。
【００４１】
図７において、受信装置２の制御部２１は、処理を開始すると、上述したタイミングで送信装置１から送信された品質集計用パケットが大きく遅延しているか否か、または、消失することなく受信できたか否かを、音声の品質はＩＴＵ標準ITU-G.107やＴＴＣ標準JJ-201.01、映像の場合にはＩＴＵ標準ITU-T.241（ITU-R BT.1720）に基づき判定する（ステップＳ２０１）。
【００４２】
次いで、制御部２１は、一連の品質集計用パケットの受信が完了したか否かを判断する（ステップＳ２０２）。すなわち、最大値に達した送信間隔Ｔｅに対応する品質集計用パケットの受信が完了したか否か判断する。
【００４３】
制御部２１は、一連の品質集計用パケットの受信が完了していないと判断した場合（ステップＳ２０２のＮｏ）、品質判定（ステップＳ２０１）に戻り、上述した処理を繰り返す。
【００４４】
次いで、制御部２１は、一連の品質集計用パケットの受信が完了したと判断した場合（ステップＳ２０２のＹｅｓ）、ネットワーク負荷（図１のネットワーク負荷Ｌ）の周期的な偏りがどのように分布しているのか、その密度を品質集計用パケットの判定結果より判断し、ネットワーク負荷密度の最も密となる送信間隔（品質測定用パケットの送信タイミング）を決定する（ステップＳ２０３）。
【００４５】
次いで、制御部２１は、記録部２３により、決定した送信間隔を記録し（ステップＳ２０４）、品質集計用パケットによる品質判定（ステップＳ２０１）に戻り、上述した処理を繰り返す。
【００４６】
図８は品質測定装置５の制御部５１による制御処理例を示すフローチャートである。
【００４７】
図８において、品質測定装置５の制御部５１は、処理を開始すると、受信装置２より、ネットワーク負荷密度の密な送信タイミングを取得する（ステップＳ５０１）。すなわち、受信装置２に対してポーリングを行い、その応答として送信タイミングを取得する。
【００４８】
次いで、制御部５１は、取得した送信タイミングを送信装置１の制御部１１へ、品質測定用パケットの送信タイミングとして通知を行い（ステップＳ５０２）、送信タイミングの取得（ステップＳ５０１）に戻り、上述した処理を繰り返す。
【００４９】
図９は送信装置１、受信装置２および品質測定装置５によるネットワーク品質の判定処理例を示すフローチャートである。
【００５０】
図９において、送信装置１は、図６で説明したネットワーク負荷密度の集計のためのパケット送信を継続する一方で、ネットワーク負荷密度の密なタイミングで品質測定用パケットを送信するよう動作する（ステップＳ１１１）。すなわち、送信装置１の制御部１１は、図６で説明した品質集計用パケットの送信処理手順と並行して、品質測定装置５より通知のあった送信タイミングで品質測定用パケットを送信する。
【００５１】
次いで、受信装置２の制御部２１は、図７で説明した品質集計用パケットの受信処理手順と並行して、送信装置１から受信した品質測定用パケットが大きく遅延しているか否か、または、消失することなく受信できたか否かを、音声の品質はＩＴＵ標準ITU-G.107やＴＴＣ標準JJ-201.01、映像の場合にはＩＴＵ標準ITU-T.241（ITU-R BT.1720）に基づき判定し、記録部２３により、ネットワーク品質を記録する（ステップＳ２１１）。
【００５２】
次いで、品質測定装置５の制御部５１は、図８で説明した処理と並行して、受信装置２よりネットワーク品質を取得する（ステップＳ５１１）。
【００５３】
次いで、品質測定装置５の制御部５１は、取得したネットワーク品質が予め品質測定装置５に設定された閾値を超えたか否か判断する（ステップＳ５１２）。
【００５４】
制御部５１は、閾値超過の場合（ステップＳ５１２のＹｅｓ）、品質測定装置５に予め設定された動作、すなわち、上位の監視装置（図示せず）への通知等を行う（ステップＳ５１３）。
【００５５】
上述した動作は、送信装置１、受信装置２および品質測定装置５が連携して繰り返される。
【００５６】
なお、音声と映像の品質測定手法については、広く知られた技術であるため、説明は割愛している。
【００５７】
<総括>
このように、開示の実施形態によれば、ＶｏＩＰパケットのネットワーク負荷の周期的な疎密を利用することで、単一のエージェント間で送受される品質集計用パケットの送信間隔を変更することにより品質劣化の可能性のある箇所を推定し、その箇所を品質測定用パケットにより監視するよう構成したので、複数のエージェントで測定パケットの送出タイミングの同期を取る必要もなく、ネットワーク品質の劣化を即座に検出することができる。
【００５８】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
（付記１）
ネットワーク内に配備したエージェントとなる送信装置および受信装置の間で送受信されるパケットからネットワーク品質を測定する装置であって、
前記送信装置から送信間隔を逐次変更して送信される品質集計用パケットに基づいて前記受信装置により決定される品質が最も悪い送信間隔を、前記受信装置から取得する手段と、
取得した送信間隔を品質測定用パケットの送信間隔として前記送信装置に通知する手段と、
前記送信装置から送信される品質測定用パケットに基づいて前記受信装置により測定される品質情報を、前記受信装置から取得する手段と、
取得した品質情報に基づいて、ネットワーク品質を判断する手段と
を備えたことを特徴とするネットワーク品質測定装置。
（付記２）
前記受信装置により決定される品質が最も悪い送信間隔は、前記送信装置から送信間隔を逐次変更して送信される品質集計用パケットのうち、遅延が最大であるタイミングおよび消失率が最大であるタイミング、またはいずれか一方を算出することにより決定する
ことを特徴とする付記１に記載のネットワーク品質測定装置。
（付記３）
ネットワーク内に配備したエージェントとなる送信装置および受信装置の間で送受信されるパケットからネットワーク品質を測定するシステムに用いられる装置であって、
送信間隔を逐次変更して品質集計用パケットを送信する手段と、
ネットワーク品質測定装置から通知される送信間隔に従って品質測定用パケットを送信する手段と
を備えたことを特徴とする送信装置。
（付記４）
前記受信装置により決定される品質が最も悪い送信間隔は、前記送信装置から送信間隔を逐次変更して送信される品質集計用パケットのうち、遅延が最大であるタイミングおよび消失率が最大であるタイミング、またはいずれか一方を算出することにより決定する
ことを特徴とする付記３に記載の送信装置。
（付記５）
ネットワーク内に配備したエージェントとなる送信装置および受信装置の間で送受信されるパケットからネットワーク品質を測定するシステムに用いられる装置であって、
前記送信装置から送信間隔を逐次変更して送信される品質集計用パケットに基づいて品質が最も悪い送信間隔を決定する手段と、
前記送信装置から送信される品質測定用パケットに基づいて品質情報を測定する手段と
を備えたことを特徴とする受信装置。
（付記６）
前記受信装置により決定される品質が最も悪い送信間隔は、前記送信装置から送信間隔を逐次変更して送信される品質集計用パケットのうち、遅延が最大であるタイミングおよび消失率が最大であるタイミング、またはいずれか一方を算出することにより決定する
ことを特徴とする付記５に記載の受信装置。
（付記７）
ネットワーク内に配備したエージェントとなる送信装置および受信装置の間で送受信されるパケットからネットワーク品質を測定するシステムであって、
送信間隔を逐次変更して品質集計用パケットを送信するとともに、ネットワーク品質測定装置から通知される送信間隔に従って品質測定用パケットを送信する送信装置と、
前記送信装置から受信した品質集計用パケットに基づいて品質が最も悪い送信間隔を決定するとともに、前記送信装置から送信される品質測定用パケットに基づいて品質情報を測定する受信装置と、
前記受信装置から品質が最も悪い送信間隔を取得し、取得した送信間隔を品質測定用パケットの送信間隔として前記送信装置に通知し、前記受信装置から品質測定用パケットの品質情報を取得し、取得した品質情報に基づいて、ネットワーク品質を判断するネットワーク品質測定装置と
を備えたことを特徴とするネットワーク品質測定システム。
（付記８）
前記受信装置により決定される品質が最も悪い送信間隔は、前記送信装置から送信間隔を逐次変更して送信される品質集計用パケットのうち、遅延が最大であるタイミングおよび消失率が最大であるタイミング、またはいずれか一方を算出することにより決定する
ことを特徴とする付記７に記載のネットワーク品質測定システム。
（付記９）
ネットワーク内に配備したエージェントとなる送信装置および受信装置の間で送受信されるパケットからネットワーク品質を測定する方法であって、
前記送信装置から送信間隔を逐次変更して送信される品質集計用パケットに基づいて前記受信装置により決定される品質が最も悪い送信間隔を、前記受信装置から取得する工程と、
取得した送信間隔を品質測定用パケットの送信間隔として前記送信装置に通知する工程と、
前記送信装置から送信される品質測定用パケットに基づいて前記受信装置により測定される品質情報を、前記受信装置から取得する工程と、
取得した品質情報に基づいて、ネットワーク品質を判断する工程と
を備えたことを特徴とするネットワーク品質測定方法。
（付記１０）
前記受信装置により決定される品質が最も悪い送信間隔は、前記送信装置から送信間隔を逐次変更して送信される品質集計用パケットのうち、遅延が最大であるタイミングおよび消失率が最大であるタイミング、またはいずれか一方を算出することにより決定する
ことを特徴とする付記９に記載のネットワーク品質測定方法。
【図面の簡単な説明】
【００５９】
【図１】パケット送信のタイミング例を示す図である。
【図２】本発明の一実施形態にかかるシステムの構成例を示す図である。
【図３】送信装置の構成例を示す図である。
【図４】受信装置の構成例を示す図である。
【図５】品質測定装置の構成例を示す図である。
【図６】送信装置の制御部による制御処理例を示すフローチャートである。
【図７】受信装置の制御部による制御処理例を示すフローチャートである。
【図８】品質測定装置の制御部による制御処理例を示すフローチャートである。
【図９】送信装置、受信装置および品質測定装置によるネットワーク品質の判定処理例を示すフローチャートである。
【符号の説明】
【００６０】
１          送信装置
１１        制御部
１２        補助記憶部
１３        記録部
１４        記憶部
１５        通信部
１６        時計部
１７        入力部
１８        出力部
１０１      記録媒体
１０２      コンピュータプログラム
２          受信装置
２１        制御部
２２        補助記憶部
２３        記録部
２４        記憶部
２５        通信部
２６        時計部
２７        入力部
２８        出力部
２０１      記録媒体
２０２      コンピュータプログラム
３          ネットワーク
４          中継装置
５          品質測定装置
５１        制御部
５２        補助記憶部
５３        記録部
５４        記憶部
５５        通信部
５６        時計部
５７        入力部
５８        出力部
５０１      記録媒体
５０２      コンピュータプログラム
【図１】
0005104549.tif 000002
【図２】
0005104549.tif 000003
【図３】
0005104549.tif 000004
【図４】
0005104549.tif 000005
【図５】
0005104549.tif 000006
【図６】
0005104549.tif 000007
【図７】
0005104549.tif 000008
【図８】
0005104549.tif 000009
【図９】
0005104549.tif 000010